(57)【特許請求の範囲】
【請求項１】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪面積を演算するための演算手段とを備えることを特徴とする装置。
【請求項２】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪量を演算するための演算手段とを備えることを特徴とする装置。
【請求項３】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部皮下脂肪面積を演算するための演算手段とを備えることを特徴とする装置。
【請求項４】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部皮下脂肪量を演算するための演算手段とを備えることを特徴とする装置。
【請求項５】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部内臓脂肪面積を演算するための演算手段とを備えることを特徴とする装置。
【請求項６】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部内臓脂肪量を演算するための演算手段とを備えることを特徴とする装置。
【請求項７】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部皮下脂肪面積を演算するための演算手段とを備えることを特徴とする装置。
【請求項８】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部皮下脂肪量を演算するための演算手段とを備えることを特徴とする装置。
【請求項９】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪面積と腹部皮下脂肪面積とを演算するための演算手段とを備えることを特徴とする装置。
【請求項１０】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪量と腹部皮下脂肪量とを演算するための演算手段とを備えることを特徴とする装置。
【請求項１１】
前記第２の入力手段は、超音波プローブを備える請求項１３から２２のうちのいずれか１つに記載の装置。
【請求項１２】
前記超音波プローブによる検出データは、無線通信手段または光通信手段により前記演算手段へ送信される請求項２３記載の装置。
【請求項１３】
前記第２の入力手段は、スキンホールドキャリパーを備える請求項１３から２２のうちのいずれか１つに記載の装置。
【請求項１４】
前記スキンホールドキャリパーによる検出データは、無線通信手段または光通信手段により前記演算手段へ送信される請求項２５記載の装置。
【請求項１５】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて、腹部内臓脂肪面積を演算する第１演算手段と、前記第１の入力手段、測定手段および第２の入力手段からのデータに基づいて、腹部皮下脂肪面積を演算する第２演算手段と、前記第１演算手段で演算された腹部内臓脂肪面積を、前記第２演算手段で演算された腹部皮下脂肪面積で除算することにより肥満の型を判断する判断手段と、を備えたことを特徴とする装置。
【請求項１６】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて、腹部内臓脂肪面積を演算する第１演算手段と、前記第１の入力手段、測定手段、第２の入力手段および第３の入力手段からのデータに基づいて、腹部皮下脂肪面積を演算する第２演算手段と、前記第１演算手段で演算された腹部内臓脂肪面積を、前記第２演算手段で演算された腹部皮下脂肪面積で除算することにより肥満の型を判断する判断手段と、を備えたことを特徴とする装置。
【発明の詳細な説明】
【０００１】
【発明の属する技術分野】
本発明は、人体の体脂肪を測定する方法および装置に関するものであり、特に、人体の体脂肪分布を測定する方法および装置に関するものである。
【０００２】
【従来の技術】
従来、人の健康因子として体重がパラメータとして挙げられていたが、近年においては、体脂肪率も健康因子の一つとして重要視されてきている。このことに対応して、体脂肪量を測定するための種々な方法および装置が開発され提案されてきている。例えば、特開昭６２−１６９０２３号公報には、身長、年令、性別を入力し、体重、身体の末端間のインピーダンスを測定することにより、体脂肪量を測定するものが開示されている。また、特表昭５７−５００９００号公報には、動物の背後に超音波パルス波を送信し脂肪層と筋肉層の境界より反射した波（受信波）を検知し、送信時から受信までの時間を測定することにより、脂肪層の厚さを測定するものが開示されている。さらにまた、特開昭６２−８７１３９号公報には、人体各部位について超音波を用いて皮下脂肪を測定し、各部位の断面積係数や体積脂肪量推定係数を乗ずることにより部位別体脂肪推定値を算出し、それらを積算することにより体脂肪量の推定を行うものが開示されている。
【０００３】
【発明が解決しようとする課題】
しかしながら、最近においては、同じ脂肪率でも脂肪の分布、つまり皮下脂肪型であるか、内臓脂肪型であるかにより、糖尿病、動脈硬化等生活習慣病にかかる危険率が異なると言われてきている。そこで、脂肪の分布を測定する方法として、ＣＴやＭＲＩによるへそ部の断層写真の画像解析による方法が提案されている。
【０００４】
しかし、このような方法では、画像解析の煩雑さや装置自体が高額である等の問題があり、また、ＣＴにおいては、Ｘ線の被爆という問題もある。
【０００５】
本発明の目的は、前述したような従来技術の問題点を解消しうるような、人体の体脂肪分布を測定する方法および装置を提供することである。
【０００６】
【課題を解決するための手段】
本発明の一つの観点によれば、人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部内臓脂肪面積または量を求めることを特徴とする方法が提供される。
【０００７】
本発明の別の観点によれば、人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部皮下脂肪面積または量を求めることを特徴とする方法が提供される。
【０００８】
本発明のさらに別の観点によれば、人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部内臓脂肪面積または量と腹部皮下脂肪面積または量とを求めることを特徴とする方法が提供される。
【０００９】
本発明のさらに別の観点によれば、人体の体脂肪分布を測定する方法において、生体電気インピーダンスおよび腹部皮下脂肪厚を測定し、腹部周径囲を測定し、該測定された生体電気インピーダンス、腹部皮下脂肪厚および腹部周径囲と性別、年令、身長、体重等の個人的パラメータとに基づいて腹部内臓脂肪面積または量を求めることを特徴とする方法が提供される。
【００１０】
本発明の一つの実施の形態によれば、前記腹部皮下脂肪厚は、超音波により測定する。
【００１１】
本発明の別の実施の形態によれば、前記腹部皮下脂肪厚は、スキンホールドキャリパーにより測定する。
【００１２】
本発明のさらに別の観点によれば、人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪面積または量を演算するための演算手段とを備えることを特徴とする装置が提供される。
【００１３】
本発明のさらに別の観点によれば、人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部皮下脂肪面積または量を演算するための演算手段とを備えることを特徴とする装置が提供される。
【００１４】
本発明のさらに別の観点によれば、人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部内臓脂肪面積または量を演算するための演算手段とを備えることを特徴とする装置が提供される。
【００１５】
本発明のさらに別の観点によれば、人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部皮下脂肪面積または量を演算するための演算手段とを備えることを特徴とする装置が提供される。
【００１６】
本発明のさらに別の観点によれば、人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪面積または量と腹部皮下脂肪面積または量とを演算するための演算手段とを備えることを特徴とする装置が提供される。
【００１７】
本発明の一つの実施の形態によれば、前記第２の入力手段は、超音波プローブを備える。
【００１８】
本発明の別の実施の形態によれば、前記超音波プローブによる検出データは、無線通信手段または光通信手段により前記演算手段へ送信される。
【００１９】
本発明のさらに別の実施の形態によれば、前記第２の入力手段は、スキンホールドキャリパーを備える。
【００２０】
本発明のさらに別の実施の形態によれば、前記スキンホールドキャリパーによる検出データは、無線通信手段または光通信手段により前記演算手段へ送信される。
【００２１】
本発明のさらに別の観点によれば、人体の体脂肪分布を測定する装置において、腹部内臓脂肪面積を演算する第１演算手段と、腹部皮下脂肪面積を演算する第２演算手段と、前記第１演算手段で演算された腹部内臓面積を、前記第２演算手段で演算された腹部皮下脂肪面積で除算することにより肥満の型を判断する判断手段とを備えたことを特徴とする装置が提供される。
【００２２】
【発明の実施の形態】
次に、添付図面に基づいて、本発明の実施の形態および実施例について、本発明をより詳細に説明する。
【００２３】
図１は、本発明の一実施例としての体脂肪測定装置の構成を示す概略斜視図である。この実施例の体脂肪測定装置は、脂肪計付体重計１０と、この脂肪計付体重計１０に電気ケーブル２０を介して接続された超音波プローブ３０とからなっている。この実施例では、超音波プローブ３０は、通常の電気ケーブル２０を介して脂肪計付体重計に接続したのであるが、本発明はこれに限らず、超音波プローブ３０による測定データを、無線通信または光通信にて脂肪計付体重計１０へ送信するようにしてもよい。
【００２４】
脂肪計付体重計１０は、基台の上面に、電源スイッチ（図示していない）、足用電極対１１および１２と、表示部１３、入力部１４等を備えており、基台内部に、重量センサー、演算部を含む制御回路等が設けられている。
【００２５】
図２は、図１に示した体脂肪測定装置の回路構成を示すブロック図である。この図２に示されるように、体脂肪計付体重計１０は、通常のように、その基台内に設けられた制御回路１にて、入力部１４のデータ入力スイッチにて入力されてくるデータ、重量センサーからの体重検出データ、足用電極対１１および１２によって構成される定電流電極板および電圧測定電極板からの入力信号、超音波プローブ３０からのデータ等を受けて、後述するような演算処理を行うことにより種々な演算処理結果等を表示部１３に表示するように作動する。
【００２６】
脂肪計付体重計１０の側に制御回路１やデータ入力スイッチ１４を設ける代わりに、図２に示すように、超音波プローブ３０の側に、同様の制御回路２やデータ入力スイッチを設けるようにすることもできる。また、図２において、点線で示すように、電気ケーブル２０に代えて、脂肪計付体重計１０および超音波プローブ３０に送受信部を設けて、無線通信または光通信によってデータ送信を行うようにしてもよい。
【００２７】
図３は、本発明の別の実施例としての体脂肪測定装置の構成を示す概略斜視図である。この実施例の体脂肪測定装置は、脂肪計付体重計１０と、この脂肪計付体重計１０に電気ケーブル２０を介して接続されたスキンホールドキャリパー４０とからなっている。この実施例では、スキンホールドキャリパー４０は、通常の電気ケーブル２０を介して脂肪計付体重計１０に接続したのであるが、本発明はこれに限らず、前述の実施例と同様に、スキンホールドキャリパー４０による測定データを、無線通信または光通信にて脂肪計付体重計１０へ送信するようにしてもよい。
【００２８】
脂肪計付体重計１０は、前述の実施例と同様に、基台の上面に、電源スイッチ（図示していない）、足用電極対１１および１２と、表示部１３、入力部１４等を備えており、基台内部に、重量センサー、演算部を含む制御回路等が設けられている。
【００２９】
図４は、図３に示した体脂肪測定装置の回路構成を示すブロック図である。この図４に示されるように、体脂肪計付体重計１０は、通常のように、その基台内に設けられた制御回路１にて、入力部１４のデータ入力スイッチにて入力されてくるデータ、重量センサーからの体重検出データ、足用電極対１１および１２によって構成される定電流電極板および電圧測定電極板からの入力信号、超音波プローブ３０からのデータ等を受けて、後述するような演算処理を行うことにより種々な演算処理結果等を表示部１３に表示するように作動する。
【００３０】
また、前述した実施例と同様に、脂肪計付体重計１０の側に制御回路１やデータ入力スイッチ１４を設ける代わりに、図２と同様に、スキンホールドキャリパー４０の側に、同様の制御回路２やデータ入力スイッチを設けるようにすることもできる。また、図２と同様に、点線で示すように、電気ケーブル２０に代えて、脂肪計付体重計１０およびスキンホールドキャリパー４０に送受信部を設けて、無線通信または光通信によってデータ送信を行うようにしてもよい。
【００３１】
なお、これら実施例の装置では、脂肪計付体重計１０による生体電気インピーダンスの測定を、両足間で行うものとしているが、本発明はこれに限らず、両手間、手足間、両足手間、両手両足間等で測定するようにしてもよい。また、超音波プローブ３０は、腹部皮下脂肪厚を測定するためのものであるが、そのための超音波測定モードは、後述するようなＡ−ｍｏｄｅが簡単であるが、コストが比較的にかかるがＢ−ｍｏｄｅ測定でもよい。さらにまた、前述の実施例の装置では、腹部皮下脂肪厚の測定を、超音波測定またはスキンホールドキャリパーによる測定としているのであるが、その他の測定方法を採用してもよい。
【００３２】
次に、前述したような実施例の体脂肪測定装置の動作に関連させて、本発明による人体の体脂肪分布を測定する方法について詳述する。
【００３３】
図５は、本発明による体脂肪分布の測定の手順を大きなステップに分けて順番に示し、図６および図７は、図５の手順をより詳細に示すフローチャートである。これら図５から図７に示されるように、自分の体脂肪分布を測定しようとする者は、ステップ１で、体脂肪計付体重計１０の電源スイッチをオンする。それから、ステップ２から４にて、体脂肪計付体重計１０の入力部１４のデータ入力スイッチを使用して性別、年令、身長等の個人的パラメータを入力する。ステップ５にて、衣服の重量等の風袋量を入力することもできるが、これは省略してもよい。
【００３４】
次いで、ステップ６にて、超音波プローブ３０またはスキンホールドキャリパー４０を用いて、腹部皮下脂肪厚を測定する。この場合において、超音波プローブ３０による腹部皮下脂肪厚の測定は、Ａ−ｍｏｄｅで行う。この超音波プローブ３０またはスキンホールドキャリパー４０による腹部皮下脂肪厚の測定データは、電気ケーブル２０を通して、体脂肪計付体重計１０の制御回路１へと送られる。ここで、Ａ−ｍｏｄｅ皮下脂肪厚測定について説明しておくと、超音波プローブ３０から高周波の超音波が発せられ、そして体表面に入射させられた波は、脂肪層と腹膜または脂肪層と筋肉層との境界面で反射し、再度プローブ３０へ戻ってくる。そこで、入射してから反射波が戻ってくるまでの時間を測定することにより、脂肪の音速が既知なことから、脂肪の厚さが測定される。
【００３５】
それから、被測定者は、体脂肪計付体重計１０の基台の足用電極対１１および１２に足裏を接触させるようにして、基台の上に乗ればよい。これにより、ステップ７での重量センサーによる体重測定がなされ、この体重データが制御回路１へ入力され、同時に、ステップ８での生体電気インピーダンスの測定もなされることになる。生体電気インピーダンスは、足用電極対１１および１２によって与えられる定電流電極板および電圧測定電極板から制御回路１へ入力される検出信号から算出される。
【００３６】
ステップ９にて、生体電気インピーダンスより総脂肪量を算出するのであるが、これは、制御回路１の演算回路にて演算される。このような総脂肪量の算出は、例えば、ＢＩＡ法にて行われる。ここで、ＢＩＡ法について説明しておくに、ＢＩＡ法によれば、人体２個所（例えば、両足間）のインピーダンスを測定し、脂肪組織と除脂肪組織との関係が、身体のインピーダンスと密接に関連することを利用し、身長、体重、年令等で補正することにより、体脂肪率が求められる。
【００３７】
前述したようにして入力されてくる各データに基づいて、制御回路１に含まれた演算回路は、次のような種々な演算処理を行う。
Ａ．（１）腹部総脂肪（断）面積の算出
腹部総脂肪面積または量を総脂肪量との相関より求める（図９参照）。
【００３８】
現在、人体の脂肪分布として大まかに、皮下脂肪と内臓脂肪（腹腔内脂肪）とに分けられる。皮下脂肪は腹部に多く存在しており、また内臓脂肪は人体腹部にあることから、両脂肪共に腹部に集中していることが分かる。そこで、両脂肪の合算値を腹部総脂肪量とすると、総脂肪量と腹部総脂肪面積または量は強い関わりがあることがわかる。そこで、総脂肪量と腹部総脂肪面積の相関について、図９に示す。結果より、両者間には相関があることから、回帰線より総脂肪量から、腹部総脂肪面積または量を求めることが可能である。
【００３９】
ここで、図９以下に出てくる相関係数ｒ、危険率ｐ＜ｚ、および回帰線の求め方について説明しておく。
【００４０】
先ず、相関係数ｒについて説明するに、ｒが１に近いほど回帰線からのずれも小さく、且つ両変数の関数も敏感になる（Ｘの変化に対するＹの変化が極端に大きいということが無くなる）。
【００４１】
次に、危険率ｐ＜ｚについて説明するに、全体のｚ＊１００（％）未満が相関性を持っていないと言える。
【００４２】
次に、回帰線の求め方について説明するに、Ｙ＝ａ・Ｘ＋ｂ  （Ｙ：Ｘの値により求められる値、グラフ中、Ｘは横軸、Ｙは縦軸）  式中の係数ａ、ｂは実測値を用い、以下の式より求まる。
ｂ＝｛Σ（Ｘ−Ｘ[平均]）・（Ｙ−Ｙ[平均]）｝／Σ｛（Ｘ−Ｘ[平均]2｝
ａ＝Ｙ[平均]−ｂ・Ｘ[平均]
Ａ．（２）腹部皮下脂肪(断)面積の算出
腹部皮下脂肪面積または量を腹部皮脂厚または腹部皮脂厚×ウエストとの相関より求める（図１０または図１６参照）。後者の場合には、図５においてステップ６とステップ７との間のステップ７′においてウエストの周径囲測定を行っておく必要がある。
【００４３】
腹部を図８に示すように真円と仮定し、その腹部における皮下脂肪（断）面積または量を求める。
【００４４】
腹部半径＝ウエスト／（２π）
皮下脂肪面積＝腹部半径2×π−（腹部半径−腹部皮脂厚）2×π
また、腹部皮脂厚は、腹部周径囲（ウエスト）に比べ十分に小さいため、腹部皮下脂肪面積は以下のように表すことができる。
【００４５】
腹部皮下脂肪面積≒腹部皮脂厚×ウエスト
そこで、上記の腹部皮下脂肪面積推定値と実測値との関係を図１６に示す（横軸は推定値＝ウエスト×腹部皮脂厚）。結果より、実際の人体は真円ではないため、実測値と推定値の隔たりはあるが、回帰線はほぼ直線であり、ウエストと皮脂厚を測定することにより、腹部皮下脂肪面積または量を推定することが可能である。また、測定法をより簡便にすべく、腹部皮脂厚と腹部皮下脂肪面積の実測値との相関を図１０に示す。結果より、相関性があることから、回帰線より腹部皮脂厚から腹部皮下脂肪面積または量を推定することが可能である。
Ａ．（３）腹部内臓脂肪面積／腹部皮下脂肪面積の算出
腹部内臓脂肪面積または量を腹部総脂肪面積または量から腹部皮下脂肪面積または量を引くことにより求め、腹部内臓脂肪面積または量／腹部皮下脂肪面積または量を求める。
Ｂ．（１）腹部内臓脂肪面積の算出
腹部内臓脂肪面積または量を総脂肪量との相関より求める（図１１参照）。
Ｂ．（２）腹部皮下脂肪面積の算出
腹部皮下脂肪面積または量を腹部皮脂厚または腹部皮脂厚×ウエスト等との相関より求める（図１０または図１６参照）。上記Ａ．（２）項の説明参照。
Ｂ．（３）腹部内臓脂肪面積／腹部皮下脂肪面積の算出
Ｃ．（１）総皮下脂肪量の算出
総皮下脂肪量を皮脂厚または皮脂厚×体重0.425×身長0.725との相関より求める（図１２または図１５参照）。
【００４６】
体表面積を求めるに当たり、様々な式がこれまで発表されてきた。体表面積を求める一例の式を以下に示す。
【００４７】
全体表面積[cm2]＝体重[kg]0.425×身長[cm]0.725×70.98
全体表面積にしめる体幹・体肢の体表面積の占める割合は、一般に約８０％程度とされている。そこで、
体幹・体肢の体表面積[cm2]＝全体表面積[cm2]×0.8
となる。また、各部位（例えば、大腿部、下腿部、腹部、脇腹部、上腕部等）の皮脂厚を測定し、平均皮脂厚を求め、脂肪の密度が0.9g／cm2であることから、以下の式より総皮下脂肪量が求まる。
【００４８】
総皮下脂肪量[g]＝体幹・体肢の体表面積×平均皮脂厚×0.9
以上が最も理論的に求める方法であるが、簡易的に一部の皮脂厚から総脂肪量を求めることが可能である。
【００４９】
ここで、最も皮下脂肪の多い部位は腹部であり、この部分の総皮下脂肪量への寄与率が最も多い。そこで腹部の皮脂厚を上記平均皮脂厚に代入し、そこで算出される総皮下脂肪量の推定値と、総皮下脂肪量の実測値の関係を図１５に示す。
【００５０】
結果よりほぼ一直線上にあることがわかる。ここで、腹部の皮脂厚より総皮下脂肪を推定することが可能であることが分かる。
【００５１】
一方、簡便な式により総皮下脂肪を求める方法としては、腹部の皮脂厚と総皮下脂肪量の相関性を求め、その回帰線より皮脂厚から、総皮下脂肪量を推定することも可能である。その結果を図１２に示す。相関性があることから、回帰線より皮脂厚から総皮下脂肪量を推定することが可能である。
Ｃ．（２）内臓脂肪量の算出
内臓脂肪量を総脂肪量から皮下脂肪量を引くことにより求める。
Ｃ．（３）腹部皮下脂肪面積の算出
腹部皮下脂肪面積を腹部皮脂厚または皮脂厚×ウエストまたは総皮下脂肪量との相関より求める（図１０または図１３または図１６参照）。上記Ａ．（２）項の説明参照。
Ｃ．（４）腹部内臓脂肪面積の算出
腹部内臓脂肪面積を内臓脂肪量との相関より求める（図１４参照）。
Ｃ．（５）腹部内臓脂肪面積／腹部皮下脂肪面積の算出
次に、内臓脂肪の判定基準について説明するに、現在、糖尿病等の生活習慣病に関する影響因子として、皮下脂肪型肥満よりも内臓脂肪型肥満に多いとされている。そこで、両者の境界として、ＣＴスキャンやＭＲＩによりヘソ部の断面画像より、皮下脂肪面積と内臓脂肪面積を出し、内臓脂肪面積／皮下脂肪面積が０．４以上であれば内臓脂肪型肥満、０．４未満であるならば皮下脂肪型肥満とされている。
【００５２】
【発明の効果】
本発明によれば、非常に簡単且つ安価でしかも人体に悪影響を及ぼすような恐れなしに、体脂肪量だけでなく、内臓脂肪面積または量や皮下脂肪面積または量等の体脂肪分布に関する情報を得ることができ、健康管理上有用である。
【図面の簡単な説明】
【図１】本発明の一実施例としての体脂肪測定装置の構成を示す概略斜視図である。
【図２】図１に示した体脂肪測定装置の回路構成を示すブロック図である。
【図３】本発明の別の実施例としての体脂肪測定装置の構成を示す概略斜視図である。
【図４】図３に示した体脂肪測定装置の回路構成を示すブロック図である。
【図５】本発明による体脂肪分布の測定の手順を大きなステップに分けて順番に示す図である。
【図６】図５の手順をより詳細に示すフローチャートである。
【図７】図５の手順をより詳細に示すフローチャートである。
【図８】腹部断面を真円として場合の皮下脂肪断面を示す図である。
【図９】総脂肪量と腹部総脂肪面積との相関を示す図である。
【図１０】腹部皮脂厚と腹部皮下脂肪面積との相関を示す図である。
【図１１】総脂肪量と腹部内臓脂肪面積との相関を示す図である。
【図１２】腹部皮脂厚と総皮下脂肪量との相関を示す図である。
【図１３】総皮下脂肪量と腹部皮下脂肪面積との相関を示す図である。
【図１４】内臓脂肪量と腹部内臓脂肪面積との相関を示す図である。
【図１５】身長、体重、皮脂厚と総皮下脂肪量との相関を示す図である。
【図１６】ウエスト×皮脂厚と腹部皮下脂肪面積との相関を示す図である。
【符号の説明】
１０  脂肪計付体重計
１１  足用電極対
１２  足用電極対
１３  表示部
１４  データ入力スイッチ
２０  電気ケーブル
３０  超音波プローブ
４０  スキンホールドキャリパー
【図１】
0003988910.tif 000002
【図２】
0003988910.tif 000003
【図３】
0003988910.tif 000004
【図４】
0003988910.tif 000005
【図５】
0003988910.tif 000006
【図６】
0003988910.tif 000007
【図７】
0003988910.tif 000008
【図８】
0003988910.tif 000009
【図９】
0003988910.tif 000010
【図１０】
0003988910.tif 000011
【図１１】
0003988910.tif 000012
【図１２】
0003988910.tif 000013
【図１３】
0003988910.tif 000014
【図１４】
0003988910.tif 000015
【図１５】
0003988910.tif 000016
【図１６】
0003988910.tif 000017